(57)【要約】【課題】保存が容易な発電装置を提供する。【解決手段】外部から水分が供給されるアノード領域１７に配置されたアノード電極１２と、アノード電極１２に電気的に接続されたカソード電極１３と、アノード領域１７とカソード電極１３との間を区画しアノード領域１７で発生したプロトンの透過を許容するセパレータ１４と、乾燥状態で生存することが可能であり、かつ有機物を分解したときにアノード電極１２に電子を受け渡す微生物２０と、乾燥状態の微生物２０を保持し、かつアノード領域１７に配置される保持体と、を備えている。【選択図】図１
2019053909.tif 000002
【特許請求の範囲】
【請求項１】
アノード電極と、
前記アノード電極に電気的に接続されたカソード電極と、
前記アノード電極と前記カソード電極との間を区画し前記アノード電極で発生したプロトンの透過を許容するセパレータと、
乾燥状態で生存することが可能であり、かつ有機物を分解したときに前記アノード電極に電子を受け渡す微生物と、
前記セパレータよりも前記アノード電極側の領域であって外部から水分が供給される領域に配置され、乾燥状態の微生物を保持する保持体と、を備えている、発電装置。
【請求項２】
前記アノード電極が、前記保持体を構成している、請求項１に記載の発電装置。
【請求項３】
前記アノード電極とは別体の保持体を備えている、請求項１に記載の発電装置。
【請求項４】
前記保持体が、吸水性を有している、請求項２又は３に記載の発電装置。
【請求項５】
前記保持体が、前記有機物を含んでいる、請求項１〜４のいずれか１項に記載の発電装置。
【請求項６】
前記保持体が、前記有機物を含む素材からなる、請求項１〜５のいずれか１項に記載の発電装置。
【請求項７】
前記セパレータが、疎水化処理が施された紙素材からなる、請求項１〜６のいずれか１項に記載の発電装置。
【請求項８】
前記アノード電極及び前記カソード電極の少なくとも一方が、カーボンナノチューブを含んでいる、請求項１〜７のいずれか１項に記載の発電装置。
【請求項９】
前記微生物が枯草菌である、請求項１〜８のいずれか１項に記載の発電装置。
【請求項１０】
アノード電極と、
前記アノード電極に電気的に接続されたカソード電極と、
前記アノード電極と前記カソード電極との間を区画し前記アノード電極で発生したプロトンの透過を許容するセパレータと、
乾燥状態で生存することが可能であり、かつ有機物を分解したときに前記アノード電極に電子を受け渡す微生物と、
前記セパレータよりも前記アノード電極側の領域であって外部から水分が供給される領域に配置され、乾燥状態の微生物を保持する保持体と、を備え、
前記アノード電極が、カーボンナノチューブ複合紙からなり、かつ前記保持体を構成しており、
前記セパレータが、疎水化処理が施された紙素材からなり、
前記微生物が枯草菌である、発電装置。
【発明の詳細な説明】
【技術分野】
【０００１】
本発明は、微生物の代謝反応を利用して有機物である燃料を電気エネルギーに変換する発電装置に関する。
【背景技術】
【０００２】
従来、微生物の代謝反応を利用して有機物である燃料を電気エネルギーに変換し、発電する装置が知られている。一般に、この種の発電装置は微生物燃料電池と呼ばれ、アノード電極とカソード電極とを備えている。そして、微生物燃料電池は、燃料としての有機物が微生物によって分解されるときに発生する電子をアノード電極にて回収し、アノード電極から外部回路を経由してカソード電極へ移動させる。また、アノード電極において発生したプロトンは、カソード電極へ移動した電子と、酸素と反応して水を生じさせる（例えば、特許文献１参照）。
【先行技術文献】
【特許文献】
【０００３】
【特許文献１】特開２０１５−１７０４６６号公報
【発明の概要】
【発明が解決しようとする課題】
【０００４】
以上のような微生物燃料電池は、燃料としての有機物を微生物に与えることによって、比較的小さな電力を簡単に生成することができるため、例えば、携帯電話等の小型の電気機器を駆動する非常用バッテリとして用いることが考えられる。
しかしながら、非常時などの限られたときのみに使用される発電装置を常備しておくためには、発電していない状態で容易に保存できることが求められる。
そこで、本発明は、不使用の状態で保存が容易な発電装置を提供することを目的とする。
【課題を解決するための手段】
【０００５】
本発明の発電装置は、
アノード電極と、
前記アノード電極に電気的に接続されたカソード電極と、
前記アノード電極と前記カソード電極との間を区画し前記アノード電極で発生したプロトンの透過を許容するセパレータと、
乾燥状態で生存することが可能であり、かつ有機物を分解したときに前記アノード電極に電子を受け渡す微生物と、
前記セパレータよりも前記アノード電極側の領域であって外部から水分が供給される領域に配置され、乾燥状態の微生物を保持する保持体と、を備えている。
【０００６】
上記構成を有する発電装置は、乾燥状態でも生存可能な微生物を保持する保持体を備えている。このため、セパレータよりもアノード電極側の領域（以下、「アノード領域」ともいう）に水分がない乾燥状態で発電装置を容易に保存することが可能となり、使用時にのみアノード領域に水分を供給することによって発電を行うことができる。
【０００７】
なお、本発明の発電装置は、電気機器を駆動するために発電するものに限らず、他の用途のために発電するものであってもよい。例えば、供給された水分の特性等を発電量に応じて検出するセンサとして機能するものや、有機物を含む排水（廃水）を処理する過程で発電するものであってもよい。
【０００８】
上記発電装置において、好ましくは、前記アノード電極が、前記保持体を構成している。
このような構成によって、部品点数を少なくし、発電装置の小型化及び構造の簡素化を図ることができる。
【０００９】
好ましくは、前記発電装置が、前記アノード電極とは別体の保持体を備えている。
【００１０】
また、好ましくは、前記保持体が、吸水性を有している。
このような構成によって、保持体に水分を保持することが可能となり、発電時間を長く持続させることができる。
【００１１】
好ましくは、前記保持体が、前記有機物を含んでいる。
このような構成によって、外部から水分とともに有機物を供給しなくても発電を行うことができる。言い換えると、水分さえ供給することができれば、いかなる環境においても発電を行うことができる。
【００１２】
好ましくは、前記保持体が、前記有機物を含む素材からなる。
このような構成によって、保持体自身を燃料として発電を行うことができる。
【００１３】
好ましくは、前記セパレータが、疎水化処理が施された紙素材からなる。
このような構成によって、セパレータを安価に作成することができる。
【００１４】
好ましくは、前記アノード電極及び前記カソード電極の少なくとも一方が、カーボンナノチューブを含んでいる。
アノード電極及び前記カソード電極の少なくとも一方がカーボンナノチューブを含むことによって、当該電極の表面積を拡大させることができ、内部抵抗を下げて出力を高めることができる。また、保持体としてのアノード電極がカーボンナノチューブを含む場合、表面積の拡大によってより多くの微生物を保持することができ、出力を高めることが可能となる。
【００１５】
好ましくは、前記微生物が枯草菌である。
枯草菌は、乾燥した環境や高温環境においても生存が可能である。したがって、微生物として枯草菌を用いることによって乾燥した状態で長期の保存が可能な発電装置を提供することができる。
【００１６】
本発明の発電装置は、
アノード電極と、
前記アノード電極に電気的に接続されたカソード電極と、
前記アノード電極と前記カソード電極との間を区画し前記アノード電極で発生したプロトンの透過を許容するセパレータと、
乾燥状態で生存することが可能であり、かつ有機物を分解したときに前記アノード電極に電子を受け渡す微生物と、
前記セパレータよりも前記アノード電極側の領域であって外部から水分が供給される領域に配置され、乾燥状態の微生物を保持する保持体と、を備え、
前記アノード電極が、カーボンナノチューブ複合紙からなり、かつ前記保持体を構成しており、
前記セパレータが、疎水化処理が施された紙素材からなり、
前記微生物が枯草菌である。
【００１７】
上記構成を有する発電装置は、乾燥状態でも生存可能な微生物を保持する保持体を備えている。このため、アノード領域に水分がない乾燥状態で発電装置を容易に保存することが可能となり、使用時にのみアノード領域に水分を供給することによって発電を行うことができる。
また、アノード電極が、前記保持体を構成しているので、部品点数を少なくし、発電装置の小型化及び構造の簡素化を図ることができる。
さらに、微生物が枯草菌であるので、乾燥した環境や高温環境においても生存が可能であり、乾燥した状態で長期の保存が可能な発電装置を提供することができる。
そして、アノード電極がカーボンナノチューブ複合紙であるので、その成分に含まれるセルロースを枯草菌が分解して発電することができ、外部からの有機物の供給を不要とすることができる。また、カーボンナノチューブ複合紙に水を吸水して保持することができるので、発電時間を長く持続させることができる。
また、アノード電極及びセパレータが、紙素材からなるので、発電装置の軽量化を図ることができるとともに、発電装置の廃棄を容易にすることができる。
【発明の効果】
【００１８】
本発明によれば、保存が容易な発電装置を提供することができる。
【図面の簡単な説明】
【００１９】
【図１】一実施形態に係る発電装置を模式的に示す説明図である。
【図２】発電装置の具体的構成を示す側面図である。
【図３】発電装置の具体的構造を示す分解斜視図である。
【図４】他の実施形態に係る発電装置の具体的構造を示す分解斜視図である。
【図５】さらに他の実施形態に係る発電装置の具体的構造を示す分解斜視図である。
【図６】さらに他の実施形態に係る発電装置の具体的構造を示す分解斜視図である。
【図７】発電特性を示すグラフである。
【図８】発電特性を示すグラフである。
【図９】発電特性を示すグラフである。
【発明を実施するための形態】
【００２０】
以下、本発明の実施形態について、図面を参照して説明する。
［発電装置の構成］
図１は、一実施形態に係る発電装置を模式的に示す説明図である。
本実施形態の発電装置１０は、一槽型の微生物燃料電池により構成されている。また、本実施形態の発電装置１０は、例えば非常用バッテリと使用することが想定され、平常時は、乾燥状態で保存され、非常時のみに発電を行って電気機器等に通電を行い、使用後は廃棄される使い捨てタイプとされている。
【００２１】
この微生物燃料電池１０は、微生物２０が、有機物である燃料を分解する作用を利用して発電を行うものであり、筐体１１と、アノード電極１２と、カソード電極１３と、セパレータ１４とを備えている。
筐体１１は、アノード電極１２が配置されるアノード領域１７を備えており、このアノード領域１７内には外部から供給された水分を貯留することができる。ただし、発電装置１０の不使用時には、アノード領域１７は乾燥状態とされる。
アノード電極１２とカソード電極１３とは外部回路（負荷抵抗）１５を介して電気配線により電気的に接続されている。
【００２２】
（アノード電極）
アノード電極１２は、カーボンナノチューブ複合紙からなる。カーボンナノチューブ複合紙は、紙の成分であるパルプ繊維にカーボンナノチューブを分散させたものである。カーボンナノチューブ複合紙は、例えば、次のように作製することができる。まず、カーボンナノチューブを分散させた水溶液（カーボンナノチューブ分散液）と、パルプを分散させた水溶液（パルプ分散液）とを混合し、マグネティックスターラ等を用いて所定時間（例えば２４時間）撹拌する。その後、混合された水溶液を乾燥機により約４０℃で所定期間（例えば２日程度）乾燥させる。この状態のカーボンナノチューブ複合紙は疎水性となるため、さらにプラズマ処理を施すことによって親水性を高める。
【００２３】
アノード電極１２は、カーボンナノチューブの支持基材として紙が用いられるので、可撓性（フレキシブル性）を有し、容易に湾曲させることができる。したがって、使用形態の自由度を高めることができる。また、アノード電極１２を構成するカーボンナノチューブ複合紙は、パルプ繊維に水を含ませることができるため、吸水性を有する。なお、アノード電極１２の厚さは、例えば、０．１ｍｍ以上１ｍｍ以下とされる。
【００２４】
アノード電極１２には、有機物を分解する微生物２０が保持されている。すなわち、アノード電極１２は、微生物２０を保持するための「保持体」を構成している。
アノード電極１２は、微生物２０を培養している培養液に所定時間浸した後、乾燥させることによって微生物２０を乾燥状態で保持することができる。このとき、培養液に含まれるエサとなる有機物もアノード電極１２に含まれた状態となる。また、後述するように微生物２０が枯草菌である場合、セルロースを分解することができるため、カーボンナノチューブ複合紙に含まれるパルプ繊維の成分であるセルロースを燃料として代謝反応を行う。
【００２５】
（微生物）
本実施形態の微生物２０は、枯草菌、例えば納豆菌が用いられている。枯草菌は、有機物としてのセルロースやグルコースを分解する。また、枯草菌は、栄養分が枯渇すると、芽胞を形成して休眠状態となり、高温状態や乾燥状態等の劣悪な環境下においても長期間にわたって生存状態を維持する。一方、芽胞を形成した枯草菌は、栄養が与えられると休眠状態を終えて発芽し、増殖する。本実施形態では、このような枯草菌の性質を利用することによって、長期保存可能な発電装置１０を実現している。ただし、本実施形態の発電装置１０は、枯草菌を用いたものに限定されず、乾燥状態でも生存可能な他の微生物、例えば、グルコースを分解する酵母菌、大腸菌等を適用することもできる。なお、本発明で用いる微生物は、セルロースやグルコース以外の有機物を分解するものであってもよい。
【００２６】
（カソード電極）
カソード電極１３は、アノード電極１２と同様にカーボンナノチューブ複合紙からなる。したがって、アノード電極１２と同様の方法により作製することができる。また、カソード電極１３は、酸素の透過性を有する、いわゆるエアカソードである。
カソード電極１３には、触媒としてフェリシアン化カリウムが含まれている。具体的には、カソード電極１３は、フェリシアン化カリウム水溶液に所定時間浸した後、乾燥させることによって作製される。カソード電極１３の厚さは、例えば、０．１ｍｍ以上１ｍｍ以下とされる。
【００２７】
（セパレータ）
セパレータ１４は、アノード領域１７で発生したプロトン（水素イオン）を透過可能であり、アノード領域１７内の水分の透過を防止するものである。このセパレータ１４として、一般的にはプロトン交換膜（ＰＥＭ）が用いられる。ただし、本実施形態では、ＰＥＭに代えて、紙製のセパレータ１４が用いられている。このセパレータ１４は、例えば、濾紙（例えば、孔径が約５μｍ）に防水剤を塗布（疎水化処理）することによって作製することができる。紙製のセパレータ１４は、プロトン交換膜と比べて、安価に作製することができるとともに、使用後の廃棄が容易になるという利点を有する。なお、セパレータ１４として孔径がより小さい濾紙（例えば、約０．０５μｍ）を用いれば、濾紙自体で水分の透過を阻止することができるため、疎水化処理を行わなくてもよい。しかし、この場合、濾紙が非常に高価となるため、コストの面では、比較的孔径の大きな濾紙に対して疎水化処理を施すことが好ましい。
【００２８】
［発電装置の具体的構造］
図２は、発電装置の具体的構造を示す側面図、図３は、同分解斜視図である。
筐体１１は、一対の主枠３１ａ、３１ｂと、一対の副枠３２ａ，３２ｂとを有している。一対の主枠３１ａ，３１ｂは、合成樹脂材等により略正方形状に形成された薄板材からなり、中央部に略正方形状の開口３１ａ１，３１ｂ１が形成されている。一対の主枠３１ａ，３１ｂは、セパレータ１４を間に挟んだ状態で互いに重ね合わされている。セパレータ１４は、主枠３１ａ、３１ｂとほぼ同一寸法の略正方形状に形成されている。
【００２９】
一対の副枠３２ａ，３２ｂは、合成樹脂材等により略正方形に形成された薄板材からなり、中央部に略四角形状の開口３２ａ１，３２ｂ１が形成されている。副枠３２ａ，３２ｂの外形は、主枠３１ａ，３１ｂの開口３１ａ１，３１ｂ１と略同一形状に形成されている。
【００３０】
一方の副枠３２ａは、アノード電極１２を間に挟んだ状態で一方の主枠３１ａに重ね合わされ、他方の副枠３２ｂは、カソード電極１３を間に挟んだ状態で他方の主枠３１ｂに重ね合わされる。アノード電極１２側に配置された副枠３２ａの開口３２ａ１は、水分を供給するための供給口とされる。また、アノード電極１２側の主枠３１ａ及び副枠３２ａの開口３１ａ１，３２ａ１は、アノード領域１７を形成している。
【００３１】
カソード電極１３側に配置された副枠３２ｂの開口３２ｂ１は、カソード電極１３に外気を触れさせるための外気口とされている。アノード電極１２及びカソード電極１３は、主枠３１ａ，３１ｂ及び副枠３２ａ，３２ｂから外側へ突出し、この突出部分が外部回路１５（図１参照）に接続される。
【００３２】
［発電装置の作用］
本実施形態の発電装置１０は、不使用時に、微生物２０を保持するアノード電極１２が水分に触れていない乾燥状態とされる。そして、微生物２０は、乾燥状態で長期間生存可能なもの、例えば、納豆菌等の枯草菌が用いられている。
そして、発電装置１０は、使用時に、吸水口３２ａ１からアノード領域１７へ所定量の水分が供給される。アノード領域１７に水分が供給されると、アノード電極１２に保持されていた微生物２０は有機物を分解し、プロトン（Ｈ＋）及び電子（ｅ−）を生成する。電子ｅ−は、アノード電極１２で回収され、外部回路を経由してカソード電極１３に移動する。プロトンは、セパレータ１４を透過してカソード電極１３に移動する。カソード電極１３において、外気口３２ｂ１から取り込まれた空気中の酸素と、カソード電極１３に移動した電子及びプロトンとの反応により水が発生する。
【００３３】
したがって、本実施形態の発電装置１０は、不使用時には、発電が行われない乾燥状態で長期に保存可能であり、使用時のみ水分を供給することによって発電を行うことができる。また、発電装置１０は、電極１２，１３及びセパレータ１４が紙成分を含むため、軽量に形成することができる。そのため、災害時等の非常時のみに使用する非常用バッテリに適している。
【００３４】
アノード電極１２は、カーボンナノチューブ複合紙により形成され、その成分であるパルプ繊維には、微生物２０（枯草菌）のエサとなる有機物としてのセルロースが含まれているので、外部から燃料を供給しなくても発電を行うことができる。つまり、アノード電極１２自体を燃料として発電を行うことができる。そのため、水さえあれば環境を問わずに発電を行うことができる。例えば、屋外において、河水、海水、雨水、廃水（排水）等を用いて発電を行うことができる。また、本実施形態では、アノード電極１２に微生物２０を保持させるために、微生物２０を培養した培養液にアノード電極１２を浸しているので、アノード電極１２に培養液中の有機物が含まれた状態となる。そのため、当該有機物を用いても発電を行うことも可能となる。
【００３５】
アノード電極１２及びカソード電極１３は、カーボンナノチューブを含んでいるので、表面積が拡大し、内部抵抗が低下する。そのため、出力電圧を高めることが可能となる。また、アノード電極１２の表面積が拡大することによって、より多くの微生物２０を保持することが可能となる。また、カソード電極１３には、触媒としてフェリシアン化カリウムが含まれているので、カソード電極１３における還元反応が促進され、出力電圧をより高めることができる。
【００３６】
［他の実施形態］
図４〜図６は、他の実施形態に係る発電装置の具体的構造を示す分解斜視図である。
図４に示す発電装置１０は、微生物を保持するための保持体として、アノード電極１２とは別体のセルローススポンジ（吸水体）２１を備えている。このセルローススポンジ２１は、連続気泡を有し、略直方体形状に形成されている。また、セルローススポンジ２１は、アノード電極１２と一方の副枠３２ａとの間において吸水口３２ａ１に対応して配置されている。
【００３７】
保持体としてのセルローススポンジ２１は、例えば、微生物を培養している培養液中にセルローススポンジ２１を所定時間浸し、その後、セルローススポンジ２１を乾燥させることによって作製することができる。したがって、培養液に含まれるエサとなる有機物もセルローススポンジ２１に含まれた状態となる。
【００３８】
本実施形態では、吸水口３２ａ１からセルローススポンジ２１に水分を供給することによって、セルローススポンジ２１に保持された枯草菌等の微生物が、セルローススポンジ２１の成分であるセルロースを分解して発電を行うことができる。したがって、外部から燃料を供給しなくても、水のみを供給することにより発電を行うことができる。また、セルローススポンジ２１は、吸水口３２ａ１から供給された水分をより多く吸収することができるので、発電時間を延長することが可能となる。また、セルローススポンジ２１に微生物を保持させる際にセルローススポンジ２１に含まれた有機物を分解して発電を行うこともできる。
【００３９】
図５に示す発電装置１０は、微生物を保持するための保持体として、アノード電極１２とは別体の濾紙（吸水体）２２を備えている。この濾紙２２は、アノード電極１２と一方の副枠との間に配置されている。また、濾紙２２は、副枠の吸水口に対応して配置される。
保持としての濾紙２２は、例えば、微生物を培養している培養液中に濾紙２２を所定時間浸し、その後、濾紙２２を乾燥させることによって作製することができる。したがって、培養液に含まれるエサとなる有機物も濾紙２２に含まれた状態となる。
【００４０】
本実施形態の発電装置１０は、吸水口から濾紙２２に水分を供給することによって、濾紙２２に保持された枯草菌等の微生物が、濾紙２２の成分であるセルロースを分解して発電を行うことができる。したがって、外部から燃料を供給しなくても、水のみを供給することにより発電を行うことができる。
また、濾紙２２は、アノード電極１２に比べて吸水性が高いため、アノード電極１２を保持体として使用する場合に比べて、発電時間を延長することができる。また、濾紙２２に微生物を保持させる際に濾紙２２に含まれた有機物を分解して発電を行うこともできる。
【００４１】
図６に示す発電装置１０は、図５の例と同様に、微生物を保持するための保持体として、アノード電極１２とは別体の濾紙２２を備えている。さらに、本実施形態では、濾紙２２の上にスポンジ（吸水部材）２３が載置されている。このスポンジ２３は、微生物を保持するためではなく専ら水分を吸収するために用いられる。本実施形態では、図５に示す実施形態と同様の作用効果を奏する。そして、スポンジ２３に水が吸収されるので、図５に示す実施形態と比較して、より発電時間を延長することができる。
【００４２】
本発明は、上記各実施形態に限定されるものではなく、特許請求の範囲に記載された発明の範囲内において、変更することが可能である。本発明は、例えば、以下のように変更することができる。
【００４３】
カーボンナノチューブ複合紙の作製方法は、上記に説明したものに限らず、種々の方法を採用することができる。また、カーボンナノチューブ複合紙は、市販のものを用いてもよい。
上記各実施形態では、アノード電極１２及びカソード電極１３として、カーボンナノチューブ複合紙が用いられていたが、これに限定されるものではなく、種々の材質の電極を用いることができる。例えば、電極としてカーボンシートを用いてもよい。また、アノード電極１２としてのカーボンシートに微生物を保持させてもよい。また、電極として、カーボンナノチューブ複合紙ではなく、カーボンナノチューブをガラスや透明電極（ＦＴＯ）等の支持基材に焼き付けたものを用いることもできる。なお、電極１２，１３にカーボンナノチューブを含ませる場合、少なくとも電極１２，１３の表面にカーボンナノチューブが存在するか、吸水性を有する電極１２，１３の内部及び表面にカーボンナノチューブが分散した状態で存在していることが好ましい。
【００４４】
上記各実施形態では、カソード電極１３がフェリシアン化カリウムを含んでいたが、フェリシアン化カリウムを含んでいなくてもよい。
また、上記各実施形態では、セパレータ１４として、疎水化処理が施された濾紙２２が用いられていたが、濾紙以外の紙が用いられていてもよい。また、セパレータ１４として、一般的なプロトン交換膜（ＰＥＭ）が用いられていてもよい。
【００４５】
上記各実施形態では、微生物を培養している培養液中に保持体を浸し、その後、乾燥させることによって、保持体に微生物を保持させているが、これに限定されず、例えば、培養液中で生成したバイオフィルムを保持体に貼り付けることによって、保持体に微生物を保持させることもできる。
【００４６】
本発明の発電装置１０は、電気機器を駆動するために発電するものに限らず、他の用途のために発電するものであってもよい。例えば、供給された水分の特性等を発電量に応じて検出するセンサとして機能するものや、有機物を含む排水（廃水）を処理する過程で発電するものであってもよい。
【００４７】
［発電装置の発電特性］
本発明の発電装置の発電特性として、時間の経過に伴う出力電圧の変化を調べた結果を図７〜図９に示す。
図７は、カソード電極がフェリシアン化カリウムを含むことによる効果を示すグラフである。実験に使用した発電装置は、アノード電極及びカソード電極としてカーボンシートを用い、このカーボンシートに、乾燥状態で生存可能な微生物、特に枯草菌の一例である納豆菌を保持し、セパレータとしてＰＥＭを用いたものである。また、外部回路の負荷抵抗を１０ｋΩとした。また、発電装置に供給した水分の量を１０μＬとした。
【００４８】
図７において、フェリシアン化カリウムの有無に関わらず、発電装置に水を供給することによって出力電圧が上昇した。したがって、いずれの場合にも発電が適切に行われていることがわかる。
また、カソード電極がフェリシアン化カリウムを含む場合は、フェリシアン化カリウムを含まない場合と比べて水を供給した直後の出力電圧がより大きく上昇している。その後、時間が経過したあとも、フェリシアン化カリウムを含む方が、より高い電圧が出力されている。以上より、カソード電極がフェリシアン化カリウムを含むことによって、カソード電極における反応が促進され、出力電圧が高められることがわかる。
【００４９】
図８は、電極としてカーボンナノチューブ複合紙を用いることによる効果を示すグラフである。実験に使用した発電装置は、アノード電極及びカソード電極としてカーボンナノチューブ複合紙を用い、カソード電極にフェリシアン化カリウムを含ませたものである。その他の条件は、図７に示す実験で用いた発電装置と同一である。また、外部回路の負荷抵抗が１０ｋΩの場合と１ｋΩの場合とについてそれぞれ出力電圧を測定した。
【００５０】
図８において、電極としてカーボンナノチューブ複合紙を使用することによって、電極がカーボンシートの場合（図７参照）と比較して、出力電圧がより高められていることが分かる。また、負荷抵抗が１ｋΩの場合、負荷抵抗が１０ｋΩの場合よりも出力が低下するものの、好適に発電が行われている。したがって、アノード電極及びカソード電極として、カーボンナノチューブ複合紙を用いることがより好適であることがわかる。
【００５１】
また、図示はしていないが、カソード電極としてカーボンナノチューブ複合紙にフェリシアン化カリウムを含ませたものを用いることによって、カーボンナノチューブ複合紙にフェリシアン化カリウムを含ませてないものと比べて出力が高められることがわかった。
【００５２】
図９は、セパレータとして濾紙を用いることによる効果を示すグラフである。実験に使用した発電装置は、アノード電極及びカソード電極としてカーボンナノチューブ複合紙を用い、カソード電極にフェリシアン化カリウムを含ませたものである。セパレータとして、ＰＥＭに代えて、疎水化処理を施した濾紙を用いた。また、外部回路の負荷抵抗を１０ｋΩとした。
【００５３】
図９において、セパレータとして濾紙を用いた場合、ＰＥＭを用いた場合（図８参照）と比べて、水分を供給した直後の出力電圧の立ち上がりが緩やかとなり、出力電圧のピークが低下するものの、発電時間が長く維持されている。したがって、低い電圧で長く発電するために、セパレータとして濾紙を使用することが有効であることがわかる。また、電極としてフェリシアン化カリウムを含むカーボンシートを用いた場合（図７参照）と比較して、出力電圧のピークはほぼ同等であるが、発電時間が長く維持されており、発電量が大きくなっていることが分かる。
【００５４】
なお、当該実験により、セパレータとして疎水化処理を施した濾紙を用いることによって、アノード領域内の水分がカソード電極へ移動することはなく、また、適切に発電が行われていることから、アノード領域で発生したプロトンはセパレータを透過してカソード電極へ移動していることが確認できた。
【符号の説明】
【００５５】
１０      ：発電装置（微生物燃料電池）
１２      ：アノード電極
１３      ：カソード電極
１４      ：セパレータ
１７      ：アノード領域
２０      ：微生物
２１      ：セルローススポンジ（保持体）
２２      ：濾紙（保持体）
【図１】
2019053909.tif 000003
【図２】
2019053909.tif 000004
【図３】
2019053909.tif 000005
【図４】
2019053909.tif 000006
【図５】
2019053909.tif 000007
【図６】
2019053909.tif 000008
【図７】
2019053909.tif 000009
【図８】
2019053909.tif 000010
【図９】
2019053909.tif 000011